(57)【要約】      （修正有）【課題】筋肉をほぐすだけでなく、股関節や骨盤の関節や背骨の関節の柔軟性も取り戻すなど多くの用途に使用できるマッサージ具を提供する。【解決手段】身体を床面に横たえて仰向けや横向きやうつ伏せにして押圧を加えて使用する中実異形断面の細長立体形状で底面が平らな面で背面も平らな面に成形された多機能マッサージ具本体Ａ１であって、細長立体形状の長手方向両端部には湾曲凸形状の第１湾曲凸部２と第２湾曲凸部３を備え、正面視において第１湾曲凸部と第２湾曲凸部の中間は湾曲凹形状の第１湾曲凹部４で構成され、第１湾曲凸部と第２湾曲凸部にはそれぞれ叩打部５が設けられている。【選択図】図１
0003234315.tif 000002
【実用新案登録請求の範囲】
【請求項１】
中実異形断面の細長立体形状で底面が平らな面で背面も平らな面に成形された多機能マッサージ具であって、前記細長立体形状の長手方向両端部には湾曲凸形状の第１湾曲凸部と第２湾曲凸部を備え、正面視において前記第１湾曲凸部と前記第２湾曲凸部の中間は湾曲凹形状の第１湾曲凹部で構成され、前記第１湾曲凸部と前記第２湾曲凸部にはそれぞれ叩打部が設けられていることを特徴とする多機能マッサージ具。
【請求項２】
正面視における前記第１湾曲凸部の底面から頂部の高さは、身体を床面に横たえて仰向けや横向きやうつ伏せにした時の床接地面から身体高さの高部位に静置できる高さであり、また正面視における前記第２湾曲凸部の底面から頂部の高さは、身体を床面に横たえて仰向けや横向きやうつ伏せにした時の床接地面から身体高さの中部位に静置できる高さであり、さらに正面視における前記第１湾曲凹部の底面から逆頂部の高さは、身体を床面に横たえて仰向けや横向きやうつ伏せにした時の床接地面から身体高さの低部位に静置できる高さであり、前記第１湾曲凸部と前記第２湾曲凸部と前記第１湾曲凹部の形状で成形されていることを特徴とする請求項１に記載の多機能マッサージ具。
【請求項３】
正面視における前記第１湾曲凸部の底面から頂部の高さは３ｃｍから１４ｃｍまでの範囲とし、また正面視における前記第２湾曲凸部の底面から頂部の高さは３ｃｍから１４ｃｍまでの範囲とし、また正面視における前記第１湾曲凹部の底面から逆頂部の高さは２ｃｍから１０ｃｍまでの範囲とする高さで成形されていることを特徴とする請求項１又は２項に記載の多機能マッサージ具。
【請求項４】
正面視における前記第１湾曲凸部と前記第２湾曲凸部と前記第１湾曲凹部は、背面が平らな面になっていて倒すと安定した底面にすることができ、正面が上になり前記第１湾曲凸部の正面は身体を床面に横たえて仰向けや横向きやうつ伏せにした時の床接地面から身体高さの中部位に静置できる第２湾曲凹部か若しくは第３湾曲凸部を作り、前記第２湾曲凸部の正面は身体を床面に横たえて仰向けや横向きやうつ伏せにした時の床接地面から身体高さの高部位に静置できる第３湾曲凹部か若しくは第４湾曲凸部を作り、正面視における前記第１湾曲凹部の正面は身体を床面に横たえて仰向けや横向きやうつ伏せにした時の床接地面から身体の高さの低部位を静置できる第４湾曲凹部を作り、それぞれの湾曲が正面視から左右に連続していることを特徴とする請求項１〜３のいずれか１項に記載の多機能マッサージ具。
【請求項５】
正面視における前記第１湾曲凸部と前記第２湾曲凸部と前記第１湾曲凹部は、背面が平らな面になっていて倒すと安定した底面にすることができ、正面が上になり前記第１湾曲凸部の正面は背面の平らな面から前記第１湾曲凸部の正面の前記第２湾曲凹部までの逆頂部の高さや若しくは前記第３湾曲凸部までの頂部の高さは３ｃｍから１４ｃｍまでの範囲とし、前記第２湾曲凸部の正面は背面の平らな面から前記第２湾曲凸部の正面の前記第３湾曲凹部までの逆頂部の高さや若しくは前記第４湾曲凸部までの頂部の高さは３ｃｍから１４ｃｍまでの範囲とし、前記第１湾曲凹部の正面は背面の平らな面から前記第１湾曲凹部の正面の前記第４湾曲凹部までの逆頂部の高さは２ｃｍから１０ｃｍまでの範囲とし、それぞれの湾曲が正面視から左右に連続していることを特徴とする請求項４に記載の多機能マッサージ具。
【考案の詳細な説明】
【技術分野】
【０００１】  本考案は、通常生活で運動をする機会が少ない中で筋肉が拘縮して関節が固まって動きにくくなり可動域が制限され、機能低下などの防止に使用することを目的にしたマッサージ具に関する。
【背景技術】
【０００２】  日常生活では、椅子に座る姿勢が常態化しているため、高齢化と共に背筋が弱り筋肉が拘縮して背骨が前に曲り、椅子からの立ち上がり困難や歩行困難などの悪循環に陥る。【０００３】  このようなことから筋肉を柔らかくするマッサージ具が提案され実用に供されている（特許文献１参照）
【先行技術文献】
【特許文献】
【０００４】
【特許文献１】特開２００９−２０７８６４号公報
【考案の概要】
【考案が解決しようとする課題】
【０００５】  上述したマッサージ具においては、背中の筋肉をほぐしたい時、自分だけで指圧力を発生させて、筋肉のコリのある部位に自由に自分で指圧点の移動や指圧の強弱を操作でき、コリをほぐせる機能を備えている携帯用の器具である。【０００６】  背中の筋肉をほぐすだけでなく、大腿部表裏側の筋肉や腰周りの筋肉やお腹周りの筋肉や首周りの筋肉のコリを解除する携帯用のマッサージ具の実現が望まれていた。【０００７】  本考案の目的は、筋肉をほぐすだけでなく、股関節や骨盤の関節や背骨の関節の柔軟性も取り戻すなど多くの用途に使用できるマッサージ具を提供することである。
【課題を解決するための手段】
【０００８】  本考案の請求項１に記載の中実異形断面の細長立体形状で底面が平らな面で背面も平らな面に成形された多機能マッサージ具であって、前記細長立体形状の長手方向両端部には湾曲凸形状の第１湾曲凸部と第２湾曲凸部を備え、正面視において前記第１湾曲凸部と前記第２湾曲凸部の中間は湾曲凹形状の第１湾曲凹部で構成され、前記第１湾曲凸部と前記第２湾曲凸部にはそれぞれ叩打部が設けられていることを特徴とする。【０００９】  また、本考案の請求項２に記載の多機能マッサージ具では、正面視における前記第１湾曲凸部の底面から頂部の高さは、身体を床面に横たえて仰向けや横向きやうつ伏せにした時の床接地面から身体高さの高部位に静置できる高さであり、また正面視における前記第２湾曲凸部の底面から頂部の高さは、身体を床面に横たえて仰向けや横向きやうつ伏せにした時の床接地面から身体高さの中部位に静置できる高さであり、さらに正面視における前記第１湾曲凹部の底面から逆頂部の高さは、身体を床面に横たえて仰向けや横向きやうつ伏せにした時の床接地面から身体高さの低部位に静置できる高さであり、前記第１湾曲凸部と前記第２湾曲凸部と前記第１湾曲凹部の形状で成形されていることを特徴とする。【００１０】  また、本考案の請求項３に記載の多機能マッサージ具では、正面視における前記第１湾曲凸部の底面から頂部の高さは３ｃｍから１４ｃｍまでの範囲とし、また正面視における前記第２湾曲凸部の底面から頂部の高さは３ｃｍから１４ｃｍまでの範囲とし、また正面視における前記第１湾曲凹部の底面から逆頂部の高さは２ｃｍから１０ｃｍまでの範囲とする高さで成形されていることを特徴とする。【００１１】  また、本考案の請求項４に記載の多機能マッサージ具では、正面視における前記第１湾曲凸部と前記第２湾曲凸部と前記第１湾曲凹部は、背面が平らな面になっていて倒すと安定した底面にすることができ、正面が上になり前記第１湾曲凸部の正面は身体を床面に横たえて仰向けや横向きやうつ伏せにした時の床接地面から身体高さの中部位に静置できる第２湾曲凹部か若しくは第３湾曲凸部を作り、前記第２湾曲凸部の正面は身体を床面に横たえて仰向けや横向きやうつ伏せにした時の床接地面から身体高さの高部位に静置できる第３湾曲凹部か若しくは第４湾曲凸部を作り、正面視における前記第１湾曲凹部の正面は身体を床面に横たえて仰向けや横向きやうつ伏せにした時の床接地面から身体の高さの低部位を静置できる第４湾曲凹部を作り、それぞれの湾曲が正面視から左右に連続していることを特徴とする。【００１２】  また、本考案の請求項５に記載の多機能マッサージ具では、正面視における前記第１湾曲凸部と前記第２湾曲凸部と前記第１湾曲凹部は、背面が平らな面になっていて倒すと安定した底面にすることができ、正面が上になり前記第１湾曲凸部の正面は背面の平らな面から前記第１湾曲凸部の正面の前記第２湾曲凹部までの逆頂部の高さや若しくは前記第３湾曲凸部までの頂部の高さは３ｃｍから１４ｃｍまでの範囲とし、前記第２湾曲凸部の正面は背面の平らな面から前記第２湾曲凸部の正面の前記第３湾曲凹部までの逆頂部の高さや若しくは前記第４湾曲凸部までの頂部の高さは３ｃｍから１４ｃｍまでの��囲とし、前記第１湾曲凹部の正面は背面の平らな面から前記第１湾曲凹部の正面の前記第４湾曲凹部までの逆頂部の高さは２ｃｍから１０ｃｍまでの範囲とし、それぞれの湾曲が正面視から左右に連続していることを特徴とする。
【考案の効果】
【００１３】  本考案の請求項１に記載の多機能マッサージ具では、中実異形断面の細長立体形状で底面が平らな面で背面も平らな面に成形されて、前記細長立体形状の長手方向両端部には湾曲凸形状の第１湾曲凸部と第２湾曲凸部を備え、正面視において前記第１湾曲凸部と前記第２湾曲凸部の中間は湾曲凹形状の第１湾曲凹部で構成され、前記第１湾曲凸部と前記第２湾曲凸部にはそれぞれ叩打部が設けられていることによって背中の筋肉をほぐすだけでなく、大腿部表裏側の筋肉や腰周りの筋肉やお腹周りの筋肉や首周りの筋肉のコリも解除でき、更に叩打部を叩打することで股関節や骨盤の関節や背骨の関節の柔軟性も取り戻すことができる。【００１４】  また、本考案の請求項２に記載の多機能マッサージ具では、正面視における前記第１湾曲凸部の底面から頂部の高さは、身体を床面に横たえて仰向けや横向きやうつ伏せにした時の床接地面から身体高さの高部位に静置できる高さであり、また正面視における前記第２湾曲凸部の底面から頂部の高さは、身体を床面に横たえて仰向けや横向きやうつ伏せにした時の床接地面から身体高さの中部位に静置できる高さであり、さらに正面視における前記第１湾曲凹部の底面から逆頂部の高さは、身体を床面に横たえて仰向けや横向きやうつ伏せにした時の床接地面から身体高さの低部位に静置できる高さであり、前記第１湾曲凸部と前記第２湾曲凸部と前記第１湾曲凹部の形状で成形されていることによって身体の前面や横面や背面の筋肉や関節に当てることが容易になりスムーズに押圧マッサージが出来る。【００１５】  また、本考案の請求項３に記載の多機能マッサージ具では、正面視における前記第１湾曲凸部の底面から頂部の高さは３ｃｍから１４ｃｍまでの範囲とし、また正面視における前記第２湾曲凸部の底面から頂部の高さは３ｃｍから１４ｃｍまでの範囲とし、また正面視における前記第１湾曲凹部の底面から逆頂部の高さは２ｃｍから１０ｃｍまでの範囲とする高さで成形されていることによって身体を仰向けや横向きやうつ伏せに横たえた状態で多機能マッサージ具を身体の下に置くことで自分の重みで押圧マッサージが出来る。【００１６】  また、本考案の請求項４に記載の多機能マッサージ具では、正面視における前記第１湾曲凸部と前記第２湾曲凸部と前記第１湾曲凹部は、背面が平らな面になっていて倒すと安定した底面にすることができ、正面が上になり前記第１湾曲凸部の正面は身体を床面に横たえて仰向けや横向きやうつ伏せにした時の床接地面から身体高さの中部位に静置できる第２湾曲凹部か若しくは第３湾曲凸部を作り、前記第２湾曲凸部の正面は身体を床面に横たえて仰向けや横向きやうつ伏せにした時の床接地面から身体高さの高部位に静置できる第３湾曲凹部か若しくは第４湾曲凸部を作り、正面視における前記第１湾曲凹部の正面は身体を床面に横たえて仰向けや横向きやうつ伏せにした時の床接地面から身体の高さの低部位を静置できる第４湾曲凹部を作り、それぞれの湾曲が正面視から左右に連続していることによって身体各部位の様々な湾曲に密着出来る。【００１７】  また、本考案の請求項５に記載の多機能マッサージ具では、正面視における前記第１湾曲凸部と前記第２湾曲凸部と前記第１湾曲凹部は、��面が平らな面になっていて倒すと安定した底面にすることができ、正面が上になり前記第１湾曲凸部の正面は背面の平らな面から前記第１湾曲凸部の正面の前記第２湾曲凹部までの逆頂部の高さや若しくは前記第３湾曲凸部までの頂部の高さは３ｃｍから１４ｃｍまでの範囲とし、前記第２湾曲凸部の正面は背面の平らな面から前記第２湾曲凸部の正面の前記第３湾曲凹部までの逆頂部の高さや若しくは前記第４湾曲凸部までの頂部の高さは３ｃｍから１４ｃｍまでの範囲とし、前記第１湾曲凹部の正面は背面の平らな面から前記第１湾曲凹部の正面の前記第４湾曲凹部までの逆頂部の高さは２ｃｍから１０ｃｍまでの範囲とし、それぞれの湾曲が正面視から左右に連続していることによってさらに様々な種類の湾曲が増えることで身体を仰向けや横向きやうつ伏せに横たえた状態で多機能マッサージ具を身体の下に自分の重みで密着出来る部位を増やすことが出来る。
【図面の簡単な説明】
【００１８】
【図１】  多機能マッサージ具本体Ａの正面図である。
【図２】  図１の多機能マッサージ具本体Ａの叩打状態を示す斜視図である。
【図３】  図１の多機能マッサージ具本体Ａを床面に身体を横向きに横たえて使用状態を示す使用図である。
【図４】  図１の多機能マッサージ具本体Ａを床面に身体を仰向きに横たえて使用状態を示す使用図である。
【図５】  図１の多機能マッサージ具本体Ａを床面に身体をうつ伏せに横たえて使用状態を示す使用図である。
【図６】  図１の多機能マッサージ具本体Ａの左側面図である。
【図７】  図１の多機能マッサージ具本体Ａの第１湾曲凸部正面が上になり形状が第２湾曲凹部であり、第２湾曲凸部正面が上になり形状が第３湾曲凹部であり、第１湾曲凹部正面が上になり形状が第４湾曲凹部Ａである状態の正面図である。
【図８】  図７の多機能マッサージ具本体Ａを正面視における背面を倒して底面にした状態で、床面に身体を仰向きに横たえて後頭部で使用状態を示す使用図である。
【図９】  図７の多機能マッサージ具本体Ａを正面視における背面を倒して底面にした状態で、床面に身体を仰向きに横たえて首で使用状態を示す使用図である。
【図１０】  多機能マッサージ具本体Ｂを正面視における背面を倒して底面にした状態で第１湾曲凸部正面が上になり形状が第３湾曲凸部であり、第２湾曲凸部正面が上になり形状が第４湾曲凸部であり、第１湾曲凹部正面が上になり形状が第４湾曲凹部Ｂである状態の正面図である。
【図１１】  図１０の多機能マッサージ具本体Ｂを正面視における背面を倒して底面にした状態で、床面に身体を横たえて横向きで使用状態を示す使用図である。
【図１２】  図１０の多機能マッサージ具本体Ｂを正面視における背面を倒して底面にした状態で、床面に身体を横たえて仰向きで使用状態を示す使用図である。
【考案を実施するための形態】
【００１９】  以下、図１〜図９は本考案の多機能マッサージ具本体Ａ１の実施形態を示し、図１は、多機能マッサージ具本体Ａ１の形状を示す正面図であり、図２は叩打部５を示す斜視図であり、図３と図４と図５は床に横たわって身体に静置する姿勢を示し、図６は多機能マッサージ具本体Ａ１の左側面図であり、図７は正面視における背面６を倒して左右両端が第２湾曲凹部７と第３湾曲凹部８になっている正面図を示し、図８と図９は図７のように多機能マッサージ具本体Ａ１の正面視における背面６を倒して横たわって身体に静置する姿勢を示し、図１０〜図１２は本考案の多機能マッサージ具本体Ｂ１０の実施形態を示し、図１０は正面視における背面６を倒して左右両端が第３湾曲凸部１１と第４湾曲凸部１２になっている正面図を示し、図１１と図１２は図１０のように多機能マッサージ具本体Ｂ１０の正面視における背面６を倒して横たわって身体に静置する姿勢を説明するための図である。
【００２０】  図１と図２において、図示の中実異形断面の細長立体形状で底面が平らな面で正視面における背面６も平らな面に成形された多機能マッサージ具本体Ａ１は、前記細長立体形状の長手方向両端部には湾曲凸形状の第１湾曲凸部２と第２湾曲凸部３を備え、正面視において前記第１湾曲凸部２と前記第２湾曲凸部３の中間は湾曲凹形状の第１湾曲凹部４で構成されていて身体の各部位の湾曲に密着出来る湾曲を作り、前記第１湾曲凸部２と前記第２湾曲凸部３にはそれぞれ叩打部５が設けられていて、身体を密着して押圧するだけでなく叩打する振動でも筋肉や関節を緩めることが出来る構成である。
【００２１】  前記多機能マッサージ具本体Ａ１は、正面視における前記第１湾曲凸部２の底面から頂部の高さは、身体を床面に横たえて仰向けや横向きやうつ伏せにした時の床接地面から身体高さの高部位に静置できる高さであり、３ｃｍから１４ｃｍまでの範囲とし、また正面視における前記第２湾曲凸部３の底面から頂部の高さは、身体を床面に横たえて仰向けや横向きやうつ伏せにした時の床接地面から身体高さの中部位に静置できる高さであり、３ｃｍから１４ｃｍまでの範囲とし、さらに正面視における前記第１湾曲凹部４の底面から逆頂部の高さは、身体を床面に横たえて仰向けや横向きやうつ伏せにした時の床接地面から身体高さの低部位に静置できる高さであり、２ｃｍから１０ｃｍまでの範囲であり、身体の向きに対応した柔軟性のある密着面を作ることが出来る。
【００２２】  上述した前記多機能マッサージ具本体Ａ１を用いて、実行者１４は身体を床面に横たえて仰向けや横向きやうつ伏せになり、図３〜図５のように第１湾曲凸部２や第２湾曲凸部３や第１湾曲凹部４を背中や腰や大腿部までのコリや痛みのある部分に密着さて体重を加えて押圧マッサージをして、筋肉や関節を緩めることができる。
【００２３】  図６において、図１の多機能マッサージ具本体Ａ１の左側面図であり、正面における背面６が平らな面になっていて倒すと安定した底面にすることができる。
【００２４】  図７において図１の多機能マッサージ具本体Ａ１は、倒すことで正面視における背面６が底面になり、第１湾曲凸部２正面が上になり形状が第２湾曲凹部７であり、第２湾曲凸部３正面が上になり形状が第３湾曲凹部８であり、第１湾曲凹部４正面が上になり形状が第４湾曲凹部Ａ９である状態に置くことが出来る。
【００２５】  前記多機能マッサージ具本体Ａ１は、倒すことで正面が上になり前記第１湾曲凸部２の正面は身体を床面に横たえて仰向けや横向きやうつ伏せにした時の床接地面から身体高さの中部位に静置できる第２湾曲凹部７を作り、高さ３ｃｍから１４ｃｍまでの範囲とし、前記第２湾曲凸部３の正面は身体を床面に横たえて仰向けや横向きやうつ伏せにした時の床接地面から身体高さの高部位に静置できる第３湾曲凹部８を作り、高さ３ｃｍから１４ｃｍまでの範囲とし、前記第１湾曲凹部４の正面は身体を床面に横たえて仰向けや横向きやうつ伏せにした時の床接地面から身体の高さの低部位を静置できる第４湾曲凹部Ａ９を作り、高さ２ｃｍから１０ｃｍまでの範囲とし、それぞれの湾曲が正面視から左右に連続している形態である。
【００２６】  上述した前記多機能マッサージ具本体Ａ１を用いて、実行者１４は身体を床面に横たえて仰向けや横向きやうつ伏せになり、図８や図９のように第２湾曲凹部７や第３湾曲凹部８や第４湾曲凹部Ａ９をコリや痛みのある頭部や首や肩などを複雑な湾曲に合わせて密着して押圧マッサージすることで筋肉や関節を緩めることができる。
【００２７】  図１０において多機能マッサージ具本体Ｂ１０は、正面視における背面６が底面になり、第１湾曲凸部２正面が上になり形状が第３湾曲凸部１１であり、第２湾曲凸部３正面が上になり形状が第４湾曲凸部１２であり、第１湾曲凹部４正面が上になり形状が第４湾曲凹部Ｂ１３である状態に置くことが出来る。
【００２８】  前記多機能マッサージ具本体Ｂ１０は、倒すと正面が上になり前記第１湾曲凸部２の正面は身体を床面に横たえて仰向けや横向きやうつ伏せにした時の床接地面から身体高さの中部位に静置できる第３湾曲凸部１１を作り、高さ３ｃｍから１４ｃｍまでの範囲とし、前記第２湾曲凸部３の正面は身体を床面に横たえて仰向けや横向きやうつ伏せにした時の床接地面から身体高さの高部位に静置できる第４湾曲凸部１２を作り、高さ３ｃｍから１４ｃｍまでの範囲とし、前記第１湾曲凹部４の正面は身体を床面に横たえて仰向けや横向きやうつ伏せにした時の床接地面から身体の高さの低部位を静置できる第４湾曲凹部Ｂ１３を作り、高さ２ｃｍから１０ｃｍまでの範囲とし、それぞれの湾曲が正面視から左右に連続している形態である。
【００２９】  上述した前記多機能マッサージ具本体Ｂ１０を用いて、実行者１４は身体を床面に横たえて仰向けや横向きやうつ伏せになり、図１１や図１２のように第３湾曲凸部１１や第４湾曲凸部１２や第４湾曲凹部Ｂ１３をコリや痛みのある背中や腰や股関節や大腿部などの複雑な湾曲に合わせて密着して押圧マッサージすることで筋肉や関節を緩めることができる。
【００３０】  以上、本考案の多機能マッサージ具の請求項１から請求項５までに記載の形態について説明したが、本考案はこれらの実施形態に限定されるものではなく、例えば図１の細長立体形状の長手方向両端部の湾曲凸形状の第１湾曲凸部２と第２湾曲凸部３が左右逆転した状態の形状にするなど、本考案の範囲を逸脱することなく変形乃至修正が可能である。
【符号の説明】
【００３１】１    多機能マッサージ具本体Ａ
２    第１湾曲凸部
３    第２湾曲凸部
４    第１湾曲凹部
５    叩打部
６    正視面における背面
７    第２湾曲凹部
８    第３湾曲凹部
９    第４湾曲凹部Ａ
１０  多機能マッサージ具本体Ｂ
１１  第３湾曲凸部
１２  第４湾曲凸部
１３  第４湾曲凹部Ｂ
１４  実行者
【図１】
0003234315.tif 000003
【図２】
0003234315.tif 000004
【図３】
0003234315.tif 000005
【図４】
0003234315.tif 000006
【図５】
0003234315.tif 000007
【図６】
0003234315.tif 000008
【図７】
0003234315.tif 000009
【図８】
0003234315.tif 000010
【図９】
0003234315.tif 000011
【図１０】
0003234315.tif 000012
【図１１】
0003234315.tif 000013
【図１２】
0003234315.tif 000014